【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
錠剤シートの錠剤が封入されている錠剤収容部から錠剤を取り出す取出動作を行う錠剤取出しユニットを備え、当該錠剤取出しユニットにより取り出された錠剤を供給する錠剤供給装置であって、
前記錠剤取出しユニットが１包に包装する錠剤の取出動作を実行するタイミングを決定する決定手段と、
前記錠剤取出しユニットによる取出動作で前記錠剤収容部から錠剤が取り出されたかを判定する判定手段と、
を備え、
前記決定手段は、前記判定手段により、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とする錠剤供給装置。
【請求項２】
前記錠剤取出しユニットは、錠剤収容部に対する前記取出動作を行い、前記判定手段により当該錠剤収容部から錠剤が取り出されていないと判定された場合には、再度、当該錠剤収容部に対する前記取出動作であるリトライ動作を行い、
前記決定手段は、前記リトライ動作を行った後に、１包に包装する最後の錠剤が取り出されたと判定されたタイミングに従って、前記錠剤取出しユニットが次の包に包装する錠剤の取出動作を実行するタイミングを決定することを特徴とする請求項１に記載の錠剤供給装置。
【請求項３】
前記決定手段は、前記リトライ動作を行った場合における次の包に包装する錠剤の取出動作を実行するタイミングを、前記リトライ動作を行わなかった場合よりも遅くなるように決定することを特徴とする請求項２に記載の錠剤供給装置。
【請求項４】
次の包に包装する錠剤の取出動作を実行するタイミングを遅らせる必要のない最小時間を管理する管理手段を備え、
前記決定手段は、前記リトライ動作を行った後に、１包に包装する最後の錠剤が取り出されたと判定されてから、前記錠剤供給装置内の錠剤の供給経路を当該最後の錠剤が通過するのに要する時間が前記管理手段で管理する最小時間を超える場合に、前記リトライ動作を行った場合における次の包に包装する錠剤の取出動作を実行するタイミングを、前記リトライ動作を行わなかった場合よりも遅くなるように決定することを特徴とする請求項３に記載の錠剤供給装置。
【請求項５】
前記錠剤取出しユニットは、前記錠剤供給装置に複数設置されていることを特徴とする請求項１乃至４のいずれか１項に記載の錠剤供給装置。
【請求項６】
前記決定手段は、前記判定手段により、前記錠剤取出しユニットによる取出動作で取り出された錠剤のうち、１包に包装する最後の錠剤が取り出されたと判定されたタイミングと、当該錠剤取出しユニットの位置に応じて、前記錠剤取出しユニットが次の包に包装する錠剤の取出動作を実行するタイミングを決定することを特徴とする請求項５に記載の錠剤供給装置。
【請求項７】
錠剤シートの錠剤が封入されている錠剤収容部から錠剤を取り出す取出動作を行う錠剤取出しユニットを備え、当該錠剤取出しユニットにより取り出された錠剤を供給する錠剤供給装置の制御方法であって、
前記錠剤供給装置の決定手段が、前記錠剤取出しユニットが１包に包装する錠剤の取出動作を実行するタイミングを決定する決定工程と、
前記錠剤供給装置の判定手段が、前記錠剤取出しユニットによる取出動作で前記錠剤収容部から錠剤が取り出されたかを判定する判定工程と、
を備え、
前記決定工程では、前記判定工程で、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とする錠剤供給装置の制御方法。
【請求項８】
錠剤シートの錠剤が封入されている錠剤収容部から錠剤を取り出す取出動作を行う錠剤取出しユニットを備え、当該錠剤取出しユニットにより取り出された錠剤を供給する錠剤供給装置で読み取り実行可能なプログラムであって、
前記錠剤供給装置を、
前記錠剤取出しユニットが１包に包装する錠剤の取出動作を実行するタイミングを決定する決定手段と、
前記錠剤取出しユニットによる取出動作で前記錠剤収容部から錠剤が取り出されたかを判定する判定手段として機能させ、
前記決定手段は、前記判定手段により、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とするプログラム。
【請求項９】
錠剤シートの錠剤が封入されている錠剤収容部から錠剤を取り出す取出動作を行う錠剤取出しユニットを備え、当該錠剤取出しユニットにより取り出された錠剤を供給する錠剤供給装置と通信可能な情報処理装置であって、
前記錠剤取出しユニットが１包に包装する錠剤の取出動作を実行するタイミングを決定する決定手段と、
前記錠剤取出しユニットによる取出動作で前記錠剤収容部から錠剤が取り出されたかを判定する判定手段と、
を備え、
前記決定手段は、前記判定手段により、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とする情報処理装置。
【手続補正２】
【補正対象書類名】明細書
【補正対象項目名】発明の名称
【補正方法】変更
【補正の内容】
【発明の名称】錠剤供給装置、及びその制御方法、プログラム、情報処理装置
【手続補正３】
【補正対象書類名】明細書
【補正対象項目名】０００１
【補正方法】変更
【補正の内容】
【０００１】
本発明は、錠剤供給装置、及びその制御方法、プログラム、情報処理装置に関し、特に１回分の錠剤が取り出されるまでに時間がかかった場合に、錠剤が本来包装されるべきでない包に包装されてしまう可能性を低減することが可能な仕組みに関する。
【手続補正４】
【補正対象書類名】明細書
【補正対象項目名】００１０
【補正方法】変更
【補正の内容】
【００１０】
本発明の目的は、１回分の錠剤が取り出されるまでに時間がかかった場合に、錠剤が本来包装されるべきでない包に包装されてしまう可能性を低減することが可能な仕組みを提供することである。
【手続補正５】
【補正対象書類名】明細書
【補正対象項目名】００１１
【補正方法】変更
【補正の内容】
【００１１】
本発明は、錠剤シートの錠剤が封入されている錠剤収容部から錠剤を取り出す取出動作を行う錠剤取出しユニットを備え、当該錠剤取出しユニットにより取り出された錠剤を供給する錠剤供給装置であって、前記錠剤取出しユニットが１包に包装する錠剤の取出動作を実行するタイミングを決定する決定手段と、前記錠剤取出しユニットによる取出動作で前記錠剤収容部から錠剤が取り出されたかを判定する判定手段と、を備え、前記決定手段は、前記判定手段により、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とする。また、本発明は、錠剤シートの錠剤が封入されている錠剤収容部から錠剤を取り出す取出動作を行う錠剤取出しユニットを備え、当該錠剤取出しユニットにより取り出された錠剤を供給する錠剤供給装置の制御方法であって、前記錠剤供給装置の決定手段が、前記錠剤取出しユニットが１包に包装する錠剤の取出動作を実行するタイミングを決定する決定工程と、前記錠剤供給装置の判定手段が、前記錠剤取出しユニットによる取出動作で前記錠剤収容部から錠剤が取り出されたかを判定する判定工程と、を備え、前記決定工程では、前記判定工程で、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とする。また、本発明は、錠剤シートの錠剤が封入されている錠剤収容部から錠剤を取り出す取出動作を行う錠剤取出しユニットを備え、当該錠剤取出しユニットにより取り出された錠剤を供給する錠剤供給装置で読み取り実行可能なプログラムであって、前記錠剤供給装置を、前記錠剤取出しユニットが１包に包装する錠剤の取出動作を実行するタイミングを決定する決定手段と、前記錠剤取出しユニットによる取出動作で前記錠剤収容部から錠剤が取り出されたかを判定する判定手段として機能させ、前記決定手段は、前記判定手段により、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とする。
【手続補正６】
【補正対象書類名】明細書
【補正対象項目名】００１２
【補正方法】変更
【補正の内容】
【００１２】
また、本発明は、錠剤シートの錠剤が封入されている錠剤収容部から錠剤を取り出す取出動作を行う錠剤取出しユニットを備え、当該錠剤取出しユニットにより取り出された錠剤を供給する錠剤供給装置と通信可能な情報処理装置であって、前記錠剤取出しユニットが１包に包装する錠剤の取出動作を実行するタイミングを決定する決定手段と、前記錠剤取出しユニットによる取出動作で前記錠剤収容部から錠剤が取り出されたかを判定する判定手段と、を備え、前記決定手段は、前記判定手段により、前記錠剤取出しユニットによる取出動作で取り出された錠剤のうち、１包に包装する最後の錠剤が取り出されたと判定されたタイミングに従って、前記錠剤取出しユニットが次の包に包装する錠剤の取出動作を実行するタイミングを決定することを特徴とする。
【手続補正７】
【補正対象書類名】明細書
【補正対象項目名】００１３
【補正方法】変更
【補正の内容】
【００１３】
本発明によれば、１回分の錠剤が取り出されるまでに時間がかかった場合に、錠剤が本来包装されるべきでない包に包装されてしまう可能性を低減することができる。